(57)【要約】【課題】  遊技板を安定して固定保持可能であると共に、付属部品の配設位置に拘らずに使用でき且つ梱包時のセルシート剥がれの発生を防止した遊技板梱包用補助部材を提供する。【解決手段】  段ボール箱１０内の底部１２に略整合する平板状であり、遊技板２下縁部の形状に対応する開口２６が３箇所に形成された本体部２１の下面に、本体部２１に略整合する平板状である底面部２２が重ね合わせて配置された下敷２０が、段ボール箱１０内の底部１２に配置されることにより、本体部１の各開口２６を溝壁とし、底面部２２表面を溝底とする凹溝２７が段ボール箱１０内の底部１２上に形成される。従って、遊技板２下縁部を各凹溝２７に嵌め込むことにより、遊技板２が段ボール箱１０内にて直立状態で固定保持される。【選択図】        図１
2006016042.tif 000002
【特許請求の範囲】
【請求項１】
遊技板が梱包される梱包箱内に配置される梱包用補助部材であって、
梱包箱内の底部に略整合する平板状であり、遊技板下縁部の形状に対応して開口が形成された本体部と、
その本体部の下面に重ね合わせて配置される平板状の底面部と、
を備えたことを特徴とする遊技板梱包用補助部材。
【発明の詳細な説明】
【技術分野】
【０００１】
本発明は、パチンコ機の遊技板を梱包箱にて梱包する際に遊技板を固定保持するために用いる梱包用補助部材に関する。
【背景技術】
【０００２】
従来、パチンコ機等の遊技機の出荷には、遊技機全体をホールに納入する形態と、いわゆる板替えの際に遊技板をホールに納入する形態とがあるが、遊技板を納入する場合、製造ラインにて遊技板を製造し、その製造した遊技板に製造番号が印刷された証紙を貼付した遊技板を段ボール箱に収容し、その段ボール箱の蓋を粘着テープで封緘した後、出荷又は保管されている。（例えば、特許文献１、特許文献２参照。）。
【０００３】
具体的には、従来、遊技板の段ボール箱における梱包は、例えば、図１１に示すように行われていた。尚、図１１では、１個の段ボール箱１１０内に３台の遊技板１０２が梱包される遊技板梱包装置１０１を示している。
【０００４】
まず、段ボール箱１１０の蓋１１１を開き、段ボール箱１１０内の底部１１２左右の側壁１１３に沿って、左右一対の下部固定部材１２０，１２０を配置する。下部固定部材１２０は、段ボール紙を折り曲げて２〜３ｃｍ角程度の角筒状に形成した梱包補助部材であり、遊技板１０２の下部コーナー部分が嵌め込まれる切り欠き１２１が間隔を隔てて３箇所に形成されている。続いて、遊技板１０２を直立状態で段ボール箱１１０の上方より内部に収納し、遊技板１０２下部コーナー部分を下部固定部材１２０の切り欠き１２１に挿入する。これにより、遊技板１０２下部の左右コーナー部分が固定保持される。残りの２台の遊技板１０２についても同様に収納作業を行う。次に、一対の上部固定部材１３０を、段ボール箱１１０の上方より左右の側壁１１３に沿ってそれぞれ装着し、上部固定部材１３０の切り欠き１３１に遊技板１０２上部の左右コーナー部分を固定保持する。その後、段ボール箱１１０の蓋１１１を閉じて、図示しない粘着テープ等の封緘具で封緘することにより、遊技板１０２の梱包が完了する。
【特許文献１】特開２００３−９３６２３号公報
【特許文献２】特開２００３−１９２００９号公報
【発明の開示】
【発明が解決しようとする課題】
【０００５】
しかしながら、図１１に示した角筒状の下部固定部材１２０を用いて遊技板１０２下部の固定保持を行う場合、遊技板１０２に設けられた付属部品の配設位置によっては、遊技板１０２のコーナー部分を下部固定部材１２０の切り欠き１２１に嵌め込むことができない場合がある。例えば、遊技板１０２前面の下部コーナー部分近傍に突出状の証紙貼り付け部が設けられる場合、下部固定部材１２０の切り欠き１２１の幅よりも証紙貼り付け部を含む遊技板１０２の厚さの方が大きくなって遊技板１０２のコーナー部分を下部固定部材１２０の切り欠き１２１に嵌め込むことができなくなるという問題がある。
【０００６】
また、遊技板１０２前面には装飾用のセルシートが貼り付けられていることが一般的であるが、このセルシートは、特にコーナー部分において剥がれ易いものである。このため、段ボール箱１１０底部１１２に配置した下部固定部材１２０に設けられた２〜３ｃｍ程度の深さを有する切り欠き１２１に遊技板１０２の下部コーナー部分を嵌め込む際に、遊技板１０２に貼り付けられたセルシートが捲れて剥がれが生じる場合があるという問題がある。
【０００７】
解決しようとする課題は、遊技板を安定して固定保持可能であると共に、付属部品の配設位置に拘らずに使用でき且つ梱包時のセルシート剥がれの発生を防止した遊技板梱包用補助部材を提供することである。
【課題を解決するための手段】
【０００８】
以下、上記課題を解決するのに適した各手段につき、必要に応じて作用効果等を付記しつつ説明する。
１．遊技板が梱包される梱包箱内に配置される梱包用補助部材であって、
梱包箱内の底部に略整合する平板状であり、遊技板下縁部の形状に対応して開口が形成された本体部と、
その本体部の下面に重ね合わせて配置される平板状の底面部と、
を備えたことを特徴とする遊技板梱包用補助部材。
手段１によれば、梱包箱内の底部に略整合する平板状であり、遊技板下縁部の形状に対応して開口が形成された本体部の下面に、平板状の底面部が重ね合わせて配置された梱包用補助部材が、梱包箱内の底部に配置されることにより、本体部の開口を溝壁とし、底面部表面を溝底とする凹溝が梱包箱内の底部上に形成される。従って、遊技板下縁部をこの凹溝（本体部開口）に嵌め込むことにより、遊技板が梱包箱内にて直立状態で固定保持される。また、本体部と底面部とから形成される凹溝の深さは、本体部の厚み（例えば、段ボール紙１枚分の厚み）に相当する数ｍｍ程度であるので、遊技板下部に設けられる付属部品（例えば、証紙貼り付け部等）の配設位置を考慮する必要がない。また、遊技板下縁部が全体に亘り凹溝によって保持される構造であるので、このように浅い凹溝であっても遊技板は強固に固定保持される。さらに、梱包箱自体の底部と梱包用補助部材の本体部及び底面部とから三重構造が形成されることにより、梱包箱全体としての底面部分の強度が増大される。
【０００９】
２．前記本体部と前記底面部とが連接して構成され且つ折線にて互いに区分され、前記底面部を前記折線で折り曲げて前記本体部下面に重ね合わせ可能に構成されたことを特徴とする手段１に記載の遊技板梱包用補助部材。
手段２によれば、本体部と底面部とが連接して構成されているので、本体部と底面部とを一括して梱包箱内へ装着することができる。また、本体部と底面部とを互いに区分する折線で底面部を折り曲げることによって底面部が本体部下面に容易に重ね合わせられ、これにより、遊技板下縁部を固定保持可能な凹溝が確実に形成される。
【００１０】
３．前記本体部開口のコーナー部分に切り欠きが形成されたことを特徴とする手段１又は２に記載の遊技板梱包用補助部材。
手段３によれば、本体部開口のコーナー部分に切り欠きが形成されているので、本体部開口に形成された凹溝に遊技板を嵌め込む際に、遊技板に貼り付けられた装飾用のセルシートが遊技板の下部コーナー部分において剥がれる等の損傷の発生を防止することができる。
【００１１】
４．前記本体部の左右両端より立ち上げ形成された一対の側壁部を備えたことを特徴とする手段１乃至３のいずれかに記載の遊技板梱包用補助部材。
手段４によれば、本体部の左右両端より立ち上げ形成された一対の側壁部が梱包箱の内壁に当接するので、梱包箱内の底部における梱包用補助部材の配置状態の安定化が図られる。さらに、一対の側壁部が、遊技板の両側に当接することにより、遊技板の保持状態の安定性向上が図られる。
【００１２】
５．前記一対の側壁部において、遊技板の下部コーナー部分に対応する箇所に切り欠きが形成されたことを特徴とする手段４に記載の遊技板梱包用補助部材。
手段５によれば、一対の側壁部において遊技板の下部コーナー部分に対応する箇所に切り欠きが形成されているので、本体部開口に形成された凹溝に遊技板を嵌め込む際に、遊技板に貼り付けられた装飾用のセルシートが遊技板の下部コーナー部分において剥がれる等の損傷の発生を防止することができる。
【００１３】
６．前記本体部及び前記底面部の互いに対応する位置にそれぞれ通気部が形成されたことを特徴とする手段１乃至５のいずれかに記載の遊技板梱包用補助部材。
手段６によれば、梱包用補助部材を梱包箱内に装着する際に、本体部及び底面部の互いに対応する位置にそれぞれ形成された孔や切り欠き等の通気部において空気が流通可能であるので補助部材の装着が容易となる。
【００１４】
７．梱包箱内における適正な配置方向を表示する配置方向表示部が設けられたことを特徴とする手段１乃至６のいずれかに記載の遊技板梱包用補助部材。
手段７によれば、配置方向表示部によって梱包箱内における梱包用補助部材の適正な配置方向が表示されているので、作業者が梱包用補助部材を誤った方向に配置することが防止され、これにより遊技板が誤った向きで梱包箱内に収納されることを防止することができる。従って、例えば、遊技板が誤った向きに配置されたことに起因して、梱包箱の取っ手穴に指が入らなくなる等のトラブルの発生を防止できる。
【００１５】
８．段ボール紙により全体を構成したことを特徴とする手段１乃至７のいずれかに記載の遊技板梱包用補助部材。
手段８によれば、梱包用補助部材の全体を段ボール紙によって構成したので、遊技板が傷付かないように保護できると共に、折り曲げ等を容易に行うことができる。さらに使用済みとなって廃棄する際に、段ボール紙製の梱包箱と分別することなく一緒に捨てることができる。
【発明の効果】
【００１６】
本発明によれば、梱包箱内の底部に略整合する平板状であり、遊技板下縁部の形状に対応して開口が形成された本体部の下面に、平板状の底面部が重ね合わせて配置された梱包用補助部材が、梱包箱内の底部に配置されることにより、本体部の開口を溝壁とし、底面部表面を溝底とする凹溝が梱包箱内の底部上に形成される。従って、遊技板下縁部をこの凹溝（本体部開口）に嵌め込むことにより、遊技板が梱包箱内にて直立状態で固定保持される。また、本体部と底面部とから形成される凹溝の深さは、本体部の厚み（例えば、段ボール紙１枚分の厚み）に相当する数ｍｍ程度であるので、遊技板下部に設けられる付属部品（例えば、証紙貼り付け部等）の配設位置を考慮する必要がない。また、遊技板下縁部が全体に亘り凹溝によって保持される構造であるので、このように浅い凹溝であっても遊技板は強固に固定保持される。さらに、梱包箱自体の底部と梱包用補助部材の本体部及び底面部とから三重構造が形成されることにより、梱包箱全体としての底面部分の強度が増大される。
【発明を実施するための最良の形態】
【００１７】
以下、本発明の遊技板梱包用補助部材を用いた遊技板梱包装置の一実施形態について、図面を参照しつつ説明する。本実施形態の遊技板梱包装置（以下、梱包装置）１は、パチンコ遊技機用の遊技板２を梱包するための装置である。以下、最初に遊技板２について説明し、続いて梱包装置１の全体構成及び各部の構成について説明する。
【００１８】
遊技板２は、図１に示す外観を有する装置であって、パチンコ遊技機の主要部品をなす遊技板である。遊技板２は、遊技板用ベニヤ板に装飾用のセルシートを貼った後、釘打ちを行い、遊技領域３を囲むように概略一回転する金属製のガイドレール４を取り付けると共に、その遊技領域３に風車や役物等の部品を取り付け、さらに遊技板の各種制御を行うための各種基板が収容された基板ボックス及び遊技球の貯留や払出しを行うための機構等からなる背面部材５をベニヤ板の背面に取り付けることにより構成される。さらに、遊技板２前面の右側下部コーナー近傍には、製造番号が印刷された証紙が貼り付けられる証紙貼り付け部６が取り付けられている。証紙貼り付け部６は、正面視で一辺が約３ｃｍの正方形状であり且つ前方へ約２ｃｍ程度突出して形成されている。
【００１９】
梱包装置１は、複数（図１では３台）の遊技板２を梱包するための装置であって、図１に示すように、段ボール箱１０と、下敷２０と、一対の上部固定部材３０，３０とから構成される。段ボール箱１０は、従来より遊技板の梱包に広く用いられている段ボール紙製の梱包箱であって、蓋１１、底部１２、側壁１３を備えており、左右の側壁１３には取っ手穴１４が形成されている。また、上部固定部材３０は、段ボール紙を折り曲げて２〜３ｃｍ角程度の角筒状に形成された左右一対で使用される梱包補助部材である。上部固定部材３０は、遊技板２の上部コーナー部分が嵌め込まれる切り欠き３１が間隔を隔てて３箇所に形成されている。
【００２０】
次に、本発明の遊技板梱包用補助部材としての下敷２０の構成について図２を参照しつつ具体的に説明する。図２は、下敷２０を展開した状態を示す平面図である。下敷２０は、長尺状の段ボール紙材料から、本体部２１と、底面部２２と、側壁部２３，２３とを互いに連接した形状に切断されて材料取りされた後に、点線で示す折線２４，２５，２５を形成したものである。本体部２１は、段ボール箱１０内に挿入配置可能であると共にガタツキが生じないように、段ボール箱１０内の底部１２に略整合する矩形平板状に形成されている。また、本体部２１には、遊技板２下縁部の形状に対応する左右に長い長方形状の開口２６が間隔を隔てて３箇所に形成されている。尚、各開口２６の位置は、段ボール箱１０内で前側に収納される遊技板２が前向きに、真ん中に収納される遊技板２が後ろ向きに、後側に収納される遊技板２が前向きにそれぞれ配置されるように設定されている。底面部２２は、本体部２１に略整合する矩形平板状に形成され、本体部２１の後端に連接して設けられて折線２４によって本体部２１と区分されている。底面部２２は、後述するように、下側へ折り曲げられて本体部２１の下面に重ね合わせて配置される。側壁部２３は、本体部２１の左右両端にそれぞれ連接して設けられて折線２５によって本体部２１と区分され、本体部２１の５分の１程度の幅を有している。
【００２１】
次に、下敷２０が段ボール箱１０に装着される際の形態（図１参照）を形成する手順について図３を参照しつつ説明する。図３（ａ）は、下敷２０の展開状態の斜視図であり、（ｂ）は底面部２２及び側壁部２３，２３を途中まで折り曲げた状態を、（ｃ）は装着時の形態が完成した状態をそれぞれ示している。図３（ｂ）、（ｃ）に示すように、底面部２２は、折線２４で下側へ１８０度折り曲げることにより本体部２１の下面側に重ね合わされる。これにより、本体部２１に形成された各開口２６の下面側が底面部２２によって塞がれることによって、図３（ｃ）に示すように各開口２６を溝壁とし、底面部２２の各開口２６を臨む表面部分を溝底とする凹溝２７が形成される。側壁部２３，２３は、図３（ｂ）、（ｃ）に示すように、それぞれ、折線２５，２５で上方へ略直角に折り曲げることにより立ち上げ形成される。
【００２２】
次に、梱包装置１において遊技板２を梱包する手順について説明する。まず、段ボール箱１０の蓋１１を開き、段ボール箱１０内の底部１２に下敷２０を配置する。続いて、遊技板２を直立状態で段ボール箱１０の上方より内部に収納し、遊技板２下縁部を下敷２０の凹溝２７（開口２６）に挿入することにより、遊技板２下端部を固定保持する。段ボール箱１０には３台の遊技板２を収納可能であるので、３台の遊技板２についても同様の作業を行う。尚、段ボール箱１０内の前側に収納される遊技板２が前向きに、真ん中に収納される遊技板２が後ろ向きに、後側に収納される遊技板２が前向きにそれぞれ配置されて収納される。次に、一対の上部固定部材３０，３０を、段ボール箱２の上方より左右の側壁１３、１３に沿ってそれぞれ装着し、各上部固定部材３０の切り欠き３１に遊技板２の上部コーナー部分を嵌め込むことにより、各遊技板２の上端部を固定保持する。その後、段ボール箱１０の蓋１１を閉じて、図示しない粘着テープ等の封緘具で封緘することにより、３台の遊技板２の梱包が完了する。
【００２３】
以上詳述したことから明らかなように、本実施形態によれば、段ボール箱１０内の底部１２に略整合する平板状であり、遊技板２下縁部の形状に対応する開口２６が３箇所に形成された本体部２１の下面に、本体部２１に略整合する平板状である底面部２２が重ね合わせて配置された下敷２０が、段ボール箱１０内の底部１２に配置されることにより、本体部１の各開口２６を溝壁とし、底面部２２表面を溝底とする凹溝２７が段ボール箱１０内の底部１２上に形成される。従って、遊技板２下縁部を各凹溝２７（本体部開口２６）に嵌め込むことにより、遊技板２が段ボール箱１０内にて直立状態で固定保持される。
【００２４】
ここで、遊技板２が下敷２０及び上部固定部材３０によって段ボール箱１０内で固定保持された状態の詳細について、図４乃至図６を参照しつつ説明する。図４は、遊技板２の梱包状態を段ボール箱１０の正面側壁１３を取り除いて示した正面図である。また、図５は、遊技板２の梱包状態を段ボール箱１０の右側壁１３を取り除いて示した側面図である。さらに、図６は、図５においてＡ線にて矢視する箇所を拡大して示した拡大図であり、見易さのために段ボール箱１０を省略し且つ側壁部２３を点線にて示している。図４乃至図６から明らかなように、本体部２１と底面部２２とから形成されて遊技板２の下端部を固定保持する凹溝２７の深さは、本体部２１の厚み（段ボール紙１枚分の厚み）に相当する数ｍｍ程度であるので、遊技板２下部に設けられる付属部品である証紙貼り付け部６の配設位置を考慮する必要がなく、遊技板２に貼り付けられたセルシートの剥がれも防止される。また、遊技板２下縁部が全体に亘り凹溝２７によって保持される構造であるので、このように浅い凹溝２７であっても遊技板２は強固に固定保持される。さらに、段ボール箱１０自体の底部１２と下敷２０の本体部２１及び底面部２２とから三重構造が形成されることにより、梱包装置１全体としての底面部分の強度が増大される。
【００２５】
また、図２に示すように、本体部２１と底面部２２とが連接して構成されているので、本体部２１と底面部２２とを一括して段ボール箱１０内へ装着することができる。また、本体部２１と底面部２２とを互いに区分する折線２４で底面部２２を折り曲げることによって底面部２２が本体部２１下面に容易に重ね合わせられ、これにより、遊技板２下縁部を固定保持可能な凹溝２７が確実に形成される。
【００２６】
また、図４に示すように、本体部２１の左右両端より立ち上げ形成された一対の側壁部２３，２３が段ボール箱１０の内壁に当接するので、段ボール箱１０内の底部１２における下敷２０の配置状態の安定化が図られる。さらに、一対の側壁部２３，２３が、遊技板２の両側に当接することにより、遊技板２の保持状態の安定性向上が図られる。
【００２７】
さらに、下敷１０全体を段ボール紙によって構成したので、遊技板２が傷付かないように保護できると共に、折り曲げ等を容易に行うことができる。さらに使用済みとなって廃棄する際に、段ボール箱１０や上部固定部材３０と分別することなく一緒に捨てることができる。
【００２８】
尚、本発明は上述した各実施の形態に限定されるものではなく、本発明の主旨を逸脱しない範囲で種々の変更を施すことが可能である。例えば、前記実施形態において、図７に示す第一の変形例のように、本体部２１に形成された各開口２６の各コーナー部分に切り欠き２８を形成する構成としてもよい。本変形例によれば、セルシートの剥がれが生じやすい遊技板２の下部コーナー部分が挿入される本体部開口２６のコーナー部分に切り欠き２８が形成されているので、より効果的にセルシートの剥がれが防止される。
【００２９】
また、図８に示す第二の変形例のように、本体部２１の各開口２６のコーナー部分から当該部分に隣接する側壁部２３の一部まで及ぶ切り欠き２９を形成する構成としてもよい。本変形例によれば、側壁部２３において、セルシートの剥がれが生じやすい遊技板２の下部コーナー部分が挿入される本体部開口２６のコーナー部分に隣接する箇所に切り欠き２９が形成されているので、より一層、効果的にセルシートの剥がれが防止される。
【００３０】
また、図９に示す第三の変形例のように、本体部２１及び底面部２２の互いに対応する箇所に通気部としての空気孔２１ａ，２２ａをそれぞれ形成してもよい。本変形例によれば、下敷２０を段ボール箱１０内に装着する際に、空気孔２１ａ，２２ａにおいて空気が流通可能であるので下敷２０の装着が容易となる。尚、底面部２２側では、空気孔に代えて切り欠きを設ける構成としてもよい。
【００３１】
また、図１０に示す第四の変形例のように、本体部２１表面の左端近傍に左向きの矢印２１ｂを、右端近傍に右向きの矢印２１ｃを、それぞれ文字列「取っ手」と共に印刷して段ボール箱１０の取っ手穴１４の位置を表示するようにしてもよい。本変形例では、配置方向表示部としての矢印２１ｂ、２１ｃによって段ボール箱１０内における下敷２０の適正な配置方向が表示されているので、作業者が下敷２０を誤った方向に配置することが防止され、これにより遊技板２が誤った向きで段ボール箱１０内に収納されることを防止することができる。従って、例えば、遊技板２が誤った向きに配置されたことに起因して、段ボール箱１０の取っ手穴１４，１４に指が入らなくなる等のトラブルの発生を防止できる。
【００３２】
また、前記実施形態では、底面部２２が本体部２１に連接された形態を示したが、底面部２２を本体部２１と別体で形成してもよい。本変形例では、まず底面部２２が段ボール箱１０の底部１２に配置され、続いて、側面部２３を立ち上げ形成した本体部２１を底面部２２の上に配置してもよく、予め本体部２１と底面部２２とを重ねた状態で一括して段ボール箱１０の底部１２に配置してもよい。
【産業上の利用可能性】
【００３３】
各種パチンコ機の遊技板を梱包箱にて梱包する際に遊技板を安定させるために使用される梱包用補助部材に適用できる。
【図面の簡単な説明】
【００３４】
【図１】本発明の一実施形態における遊技板梱包装置を示す分解斜視図である。
【図２】下敷の展開図である。
【図３】下敷の折り曲げ方法を示す斜視説明図であり、（ａ）は展開状態を、（ｂ）は途中まで折り曲げた状態を、（ｃ）は折り曲げが完了した状態をそれぞれ示している。
【図４】遊技板梱包装置における遊技板の梱包状態を段ボール箱の正面側壁を取り除いて示した正面図である。
【図５】遊技板梱包装置における遊技板の梱包状態を段ボール箱の右側壁を取り除いて示した側面図である。
【図６】図５におけるＡ線矢視箇所の拡大図である。
【図７】第一の変形例を示す下敷の展開図である。
【図８】第二の変形例を示す下敷の展開図である。
【図９】第三の変形例を示す下敷の展開図である。
【図１０】（ａ）は第四の変形例における下敷の展開状態を示す斜視図であり、（ｂ）は折り曲げが完了した状態を示す斜視図である。
【図１１】従来の遊技板梱包装置を示す分解斜視図である。
【符号の説明】
【００３５】
２    遊技板
１０    段ボール箱（梱包箱）
１２    底部
２０    下敷（遊技板梱包用補助部材）
２１    本体部
２２    底面部
２３    側壁部
２４，２５    折線
２６    開口
２７    凹溝
２８    切り欠き
２９    切り欠き
２１ａ，２２ａ  空気孔（通気部）
２１ｂ，２１ｃ  矢印（配置方向表示部）
【図１】
2006016042.tif 000003
【図２】
2006016042.tif 000004
【図３】
2006016042.tif 000005
【図４】
2006016042.tif 000006
【図５】
2006016042.tif 000007
【図６】
2006016042.tif 000008
【図７】
2006016042.tif 000009
【図８】
2006016042.tif 000010
【図９】
2006016042.tif 000011
【図１０】
2006016042.tif 000012
【図１１】
2006016042.tif 000013